(57)【要約】【課題】ペリメータ空間内全体を常に理想的な空気の流れで確実に換気して、室内空間の快適性を維持することが可能なペリメータ空間の換気構造の提供。【解決手段】室内空間７とペリメータ空間６を区画する通気用区画体１と、ペリメータ空間６内を吸気して排出する排気部８を備えたペリメータ空間の換気構造で、通気用区画体１が、室内空間７とペリメータ空間６との通気を上方通気状態と下方通気状態とに切り替え自在に、排気部８が、ペリメータ空間６からの吸気を上方吸気状態と下方吸気状態とに切り替え自在に構成され、通気用区画体１が上方通気状態で排気部８が下方吸気状態の第１モードと、通気用区画体１が下方通気状態で排気部８が上方吸気状態の第２モードとに切り替え自在に構成される。【選択図】図２
2020148372.tif 000002
【特許請求の範囲】
【請求項１】
室内空間とペリメータ空間を区画する通気用区画体と、前記ペリメータ空間内を吸気して排出する排気部とを備えたペリメータ空間の換気構造であって、
前記通気用区画体が、前記室内空間とペリメータ空間との通気部をその上方に有する上方通気状態と下方に有する下方通気状態とに切り替え自在に構成され、
前記排気部が、前記ペリメータ空間からの吸気部をその上方に有する上方吸気状態と下方に有する下方吸気状態とに切り替え自在に構成され、
前記通気用区画体が上方通気状態でかつ前記排気部が下方吸気状態である第１モードと、前記通気用区画体が下方通気状態でかつ前記排気部が上方吸気状態である第２モードとに切り替え自在に構成されるペリメータ空間の換気構造。
【請求項２】
前記通気用区画体が、上下方向へ位置変更自在な非通気性区画部を備え、その非通気性区画部を下方へ位置変更して前記上方通気状態に、上方へ位置変更して前記下方通気状態に切り替えるように構成される請求項１に記載のペリメータ空間の換気構造。
【請求項３】
前記通気用区画体が、上下方向へ位置変更自在な通気性区画部を備え、その通気性区画部を上方へ位置変更して前記上方通気状態に、下方へ位置変更して前記下方通気状態に切り替えるように構成される請求項２に記載のペリメータ空間の換気構造。
【請求項４】
前記排気部の吸気空間が、前記室内空間側から見て前記ペリメータ空間の横側方に配置され、その吸気空間と前記ペリメータ空間を区画する吸気用区画体が、上下方向へ位置変更自在な非通気性区画部を備え、その非通気性区画部を下方へ位置変更して前記上方吸気状態に、上方へ位置変更して前記下方吸気状態に切り替えるように構成される請求項１〜３のいずれか１項に記載のペリメータ空間の換気構造。
【請求項５】
前記吸気用区画体が、上下方向へ位置変更自在な通気性区画部を備え、その通気性区画部を上方へ位置変更して前記上方吸気状態に、下方へ位置変更して前記下方吸気状態に切り替えるように構成される請求項４に記載のペリメータ空間の換気構造。
【発明の詳細な説明】
【技術分野】
【０００１】
本発明は、室内空間とペリメータ空間を区画する通気用区画体と、前記ペリメータ空間内を吸気して排出する排気部とを備えたペリメータ空間の換気構造に関する。
【背景技術】
【０００２】
ここで「ペリメータ空間」とは、建物の室内空間において、日差しや外気温などの室外条件の影響を受けやすい窓際や壁際などの室内空間を意味する。
したがって、外気温などの室外条件の影響を受けたペリメータ空間の空気が、例えば、夏季であれば暖気が上昇しながら、冬季であれば冷気が下降しながら室内空間側に流入し、室内空間の快適性が悪化するなどの弊害が生じる。
【０００３】
そこで、従来、室内空間とペリメータ空間を区画するロールスクリーンと、ペリメータ空間内を吸気して排出する排気ファンとを備え、ロールスクリーンの昇降によって、室内空間とペリメータ空間とを全閉状態に、また、少し巻き上げることで下方が連通する下方通気状態とに切り替え自在にし、更に、排気ファンが、上横風路から吸気する上方吸気状態と下横風路から吸気する下方吸気状態とに切り替え自在に構成したペリメータ空間の換気構造が提案された（例えば、特許文献１参照）。
【先行技術文献】
【特許文献】
【０００４】
【特許文献１】特開２００１−３０３７０４号公報
【発明の概要】
【発明が解決しようとする課題】
【０００５】
この特許文献１に記載の従来技術によれば、夏季においては、室外条件の影響を受けたペリメータ空間内の暖気が上方から吸気されて、室内空間内の冷気が下方からペリメータ空間内に流入するので、ペリメータ空間内は、全体が理想的な空気の流れで換気される。
しかしながら、冬季においては、室外条件の影響を受けたペリメータ空間内の冷気は下方から吸気されるものの、ロールスクリーンを全閉状態にするため、室内空間内の暖気はロールスクリーンの両脇や上部の隙間からペリメータ空間内に流入することになり（明細書の段落［００１９］参照）、ペリメータ空間全体が必ずしも理想的な空気の流れで換気されるとは限らない。すなわち、ペリメータ空間内の冷気の一部が、ペリメータ空間の上方に残存したまま滞留し、その冷気がロールスクリーンの両脇などから室内空間内へ流入するおそれがある。
【０００６】
本発明は、このような従来の問題点に着目したもので、その目的は、ペリメータ空間内全体を常に理想的な空気の流れで確実に換気して、室内空間の快適性を維持することが可能なペリメータ空間の換気構造を提供することにある。
【課題を解決するための手段】
【０００７】
本発明の第１特徴構成は、室内空間とペリメータ空間を区画する通気用区画体と、前記ペリメータ空間内を吸気して排出する排気部とを備えたペリメータ空間の換気構造であって、前記通気用区画体が、前記室内空間とペリメータ空間との通気部をその上方に有する上方通気状態と下方に有する下方通気状態とに切り替え自在に構成され、前記排気部が、前記ペリメータ空間からの吸気部をその上方に有する上方吸気状態と下方に有する下方吸気状態とに切り替え自在に構成され、前記通気用区画体が上方通気状態でかつ前記排気部が下方吸気状態である第１モードと、前記通気用区画体が下方通気状態でかつ前記排気部が上方吸気状態である第２モードとに切り替え自在に構成される点にある。
【０００８】
本構成によれば、例えば、冬季などのように外気温が室内温度に比べて極端に低い場合には、第１モードに切り替え、夏季などのように外気温が室内温度に比べて極端に高い場合には、第２モードに切り替えることができる。
そして、第１モードでは、通気用区画体が上方通気状態でかつ排気部が下方吸気状態となり、室外条件の影響を受けたペリメータ空間内の冷気が下方から吸気されて、室内空間内の暖気が上方からペリメータ空間内に流入するので、ペリメータ空間内は冷気が下降する理想的な空気の流れでペリメータ空間全体が換気される。
また、第２モードでは、通気用区画体が下方通気状態でかつ排気部が上方吸気状態となり、室外条件の影響を受けたペリメータ空間内の暖気が上方から吸気されて、室内空間内の冷気が下方からペリメータ空間内に流入するので、ペリメータ空間内は暖気が上昇する理想的な空気の流れでペリメータ空間全体が換気される。
その結果、第１モードと第２モードのいずれのモードにおいても、ペリメータ空間内は、常に理想的な空気の流れにより確実に換気されて、室内空間の快適性が維持される。
【０００９】
本発明の第２特徴構成は、前記通気用区画体が、上下方向へ位置変更自在な非通気性区画部を備え、その非通気性区画部を下方へ位置変更して前記上方通気状態に、上方へ位置変更して前記下方通気状態に切り替えるように構成される点にある。
【００１０】
本構成によれば、通気用区画体が、上下方向へ位置変更自在な非通気性区画部を備え、その非通気性区画部を位置変更することにより上方通気状態と下方通気状態とに切り替えることができるので、構造的に簡単でかつ切り替え操作も容易であり、例えば、電動式のアクチュエータを使用しての自動化も容易となる。
【００１１】
本発明の第３特徴構成は、前記通気用区画体が、上下方向へ位置変更自在な通気性区画部を備え、その通気性区画部を上方へ位置変更して前記上方通気状態に、下方へ位置変更して前記下方通気状態に切り替えるように構成される点にある。
【００１２】
本構成によれば、通気用区画体が、上述した非通気性区画部に加えて、上下方向へ位置変更自在な通気性区画部を備え、その通気性区画部を位置変更することにより上方通気状態と下方通気状態とに切り替えることができるので、上方通気状態と下方通気状態のいずれにおいても、ペリメータ空間は、室内空間側から見て非通気性区画部と通気性区画部により覆い隠される。
したがって、室内空間側から見た場合、ペリメータ空間を通気用区画体で覆い隠すことができ、しかも、その通気用区画体をスッキリとした外観にすることが可能である。例えば、非通気性区画部を和紙製の障子にして通気性区画部を不織布製の障子にすれば、上方通気状態と下方通気状態にかかわらず、通気用区画体があたかも普通の障子であるかのごときスッキリとした外観を得ることができる。
【００１３】
本発明の第４特徴構成は、前記排気部の吸気空間が、前記室内空間側から見て前記ペリメータ空間の横側方に配置され、その吸気空間と前記ペリメータ空間を区画する吸気用区画体が、上下方向へ位置変更自在な非通気性区画部を備え、その非通気性区画部を下方へ位置変更して前記上方吸気状態に、上方へ位置変更して前記下方吸気状態に切り替えるように構成される点にある。
【００１４】
本構成によれば、排気部の吸気空間が、室内空間側から見てペリメータ空間の横側方に配置されるので、例えば、室内空間側から見て正面にガラス窓などを配置して、室内空間側から室外の景色などを鑑賞することができる。
そして、その吸気空間とペリメータ空間を区画する吸気用区画体が、上下方向へ位置変更自在な非通気性区画部を備え、その非通気性区画部を位置変更することにより上方吸気状態と下方吸気状態とに切り替えることができるので、構造的に簡単でかつ切り替え操作も容易であり、例えば、電動式のアクチュエータを使用しての自動化も容易となる。
【００１５】
本発明の第５特徴構成は、前記吸気用区画体が、上下方向へ位置変更自在な通気性区画部を備え、その通気性区画部を上方へ位置変更して前記上方吸気状態に、下方へ位置変更して前記下方吸気状態に切り替えるように構成される点にある。
【００１６】
本構成によれば、吸気用区画体が、上述した非通気性区画部に加えて、上下方向へ位置変更自在な通気性区画部を備え、その通気性区画部を位置変更することにより上方吸気状態と下方吸気状態とに切り替えることができるので、上方吸気状態と下方吸気状態のいずれにおいても、排気部の吸気空間は、室内空間やペリメータ空間側から見て非通気性区画部と通気性区画部により覆い隠される。
したがって、室内空間やペリメータ空間側から見た場合、排気部の吸気空間を吸気用区画体で覆い隠すことができ、しかも、その吸気用区画体をスッキリとした外観にすることが可能である。例えば、非通気性区画部を和紙製の障子にして通気性区画部を不織布製の障子にすれば、上方吸気状態と下方吸気状態にかかわらず、吸気用区画体があたかも普通の障子であるかのごときスッキリとした外観を得ることができる。
【図面の簡単な説明】
【００１７】
【図１】ペリメータ空間の換気構造を示す平面図
【図２】室内空間側からの通気用区画体の正面図とペリメータ空間側からの吸気用区画体の正面図
【図３】室内空間側からの通気用区画体の正面図とペリメータ空間側からの吸気用区画体の正面図
【発明を実施するための形態】
【００１８】
本発明によるペリメータ空間の換気構造の実施形態を図面に基づいて説明する。
本発明のペリメータ空間の換気構造は、図１に示すように、建物内が通気用区画体１によってガラス窓５に隣接するペリメータ空間６とそれ以外の室内空間７とに区画される。通気用区画体１は、図２（ａ）および図３（ａ）に示すように、手動によって上下方向へ位置変更自在でかつ上下方向において位置保持可能な非通気性区画部２と通気性区画部３を備えて構成されている。正面視における非通気性区画部２及び通気性区画部３の夫々の面積は適宜設定することができるが、例えば非通気性区画部２の面積を通気性区画部３の面積と同等又はそれよりも広く設定することができる。
なお、この実施形態では、あたかも書院棚の上部空間のような領域がペリメータ空間６に設定されているが、ペリメータ空間６の設定に関しては、建物の間取りなどを考慮して自由に変更可能である。
【００１９】
通気用区画体１の非通気性区画部２は、非通気性の和紙を張った障子で構成され、通気性区画部３は、通気性の不織布を張った障子で構成されて、通気用区画体１が、全体として障子のような外観を呈する。そして、非通気性区画部２と通気性区画部３が、図示はしないが、左右両側に設けられた溝にスライド自在に篏合されて、あたかも雪見障子のように、それぞれ上下方向へ位置変更自在でかつ上下方向で位置保持可能に構成され、不織布からなる通気性区画部３が、室内空間７からペリメータ空間６への通気を可能にする通気部４として機能する。
したがって、図２（ａ）に示すように、通気性区画部３が上方に位置し非通気性区画部２が下方に位置するようにすることで、通気用区画体１が、室内空間７とペリメータ空間６との通気部４をその上方に有する上方通気状態となる。逆に、図３（ａ）に示すように、非通気性区画部２が上方に位置し通気性区画部３が下方に位置するようにすることで、通気部４をその下方に有する下方通気状態となり、上方通気状態と下方通気状態とに切り替え自在に構成される。
【００２０】
ペリメータ空間６の内部を吸気して排出する排気部８は、図１に示すように、室内空間７側から見てペリメータ空間６の横側方に配置される柱状の排気チャンバー９、排気ファン１０、および、それらを接続する排気ダクト１１などで構成されている。排気チャンバー９は、例えば建物の柱１３を内包する状態で柱１３に沿って配置することができる。
排気ファン１０は、図外の浴室内を換気するためのもので、その排気ファン１０の吸引側が、排気ダクト１１を介して排気チャンバー９に接続されて、排気チャンバー９の内部空間が、排気ファン１０により吸気される吸気空間１２に設定される。つまり、排気部８の吸気空間１２が、室内空間７側から見てペリメータ空間６の横側方に配置され、その吸気空間１２とペリメータ空間６が、吸気用区画体１４により区画される。
なお、この実施形態では、浴室用の排気ファン１０が排気部８にも兼用されているが、専用の排気ファンを設けることも、また、浴室用以外の排気ファンを兼用することも可能である。
【００２１】
吸気用区画体１４は、先の通気用区画体１と同じような構成であり、図２（ｂ）および図３（ｂ）に示すように、手動によって上下方向へ位置変更自在でかつ上下方向において位置保持可能な非通気性区画部１５と通気性区画部１６を備えて構成されている。正面視における非通気性区画部１５及び通気性区画部１６の夫々の面積は適宜設定することができるが、例えば非通気性区画部１５の面積を通気性区画部１６の面積と同等又はそれよりも広く設定することができる。
吸気用区画体１４の非通気性区画部１５は、非通気性の和紙を張った障子で構成され、通気性区画部１６は、通気性の不織布を張った障子で構成されて、吸気用区画体１４が、障子のような外観を呈し、非通気性区画部１５と通気性区画部１６が、先の通気用区画体１の場合と同様、図外の溝にスライド自在に篏合されて、あたかも雪見障子のように、それぞれ上下方向へ位置変更自在でかつ上下方向で位置保持可能に構成される。
なお、吸気用区画体１４が障子で構成されるので、図示はしないが、吸気空間１２の内部に照明器具を配置し、その照明器具の光が吸気用区画体１４を透過することで、ペリメータ空間６、更には、室内空間７の間接照明として使用することができる。その場合、照明器具が吸気空間１２の内部に配置されるが、吸気用区画体１４の非通気性区画部１５と通気性区画部１６が、それぞれ上下方向へ位置変更自在で位置保持可能であるから、照明器具のメンテナンスは容易となる。
【００２２】
そして、不織布からなる通気性区画部１６が、ペリメータ空間６の内部を吸気して排出する排気部８において、ペリメータ空間６から吸気する吸気部１７として機能する。
したがって、図３（ｂ）に示すように、通気性区画部１６が上方に位置し非通気性区画部１５が下方に位置するようにすることで、排気部８が、ペリメータ空間６からの吸気部１７をその上方に有する上方吸気状態となる。逆に、図２（ｂ）に示すように、非通気性区画部１５が上方に位置し通気性区画部１６が下方に位置するようにすることで、吸気部１７をその下方に有する下方吸気状態となり、上方吸気状態と下方吸気状態とに切り替え自在に構成される。
【００２３】
このような構成のペリメータ空間の換気構造においては、例えば、冬季などのように外気温が室内温度に比べて極端に低い場合には、図２の（ａ）、（ｂ）に示すように、通気用区画体１が上方通気状態でかつ排気部８が下方吸気状態である第１モードに切り替えて使用する。一方、夏季などのように外気温が室内温度に比べて極端に高い場合には、図３の（ａ）、（ｂ）に示すように、通気用区画体１が下方通気状態でかつ排気部８が上方吸気状態である第２モードに切り替えて使用する。
そして、第１モードでは、室外条件の影響を受けたペリメータ空間６内の冷気が下方から吸気されて、室内空間７内の暖気が上方からペリメータ空間６内に流入する理想的な空気の流れで換気される。一方、第２モードでも、室外条件の影響を受けたペリメータ空間６内の暖気が上方から吸気されて、室内空間７内の冷気が下方からペリメータ空間６内に流入する理想的な空気の流れで換気される。
更に空調熱負荷の観点から説明を加えると、外気温と室内温度との間に比較的大きな温度差がある場合、上述の理想的な空気の流れでペリメータ空間６内の換気がなされることで、外気温の影響を受けるペリメータ空間６内の温度が室内空間７の温度に近づくことになる。すると、ペリメータ空間６を介した室内空間７の貫流熱負荷が軽減され、省エネに役立てることができる。
【００２４】
〔別実施形態〕
（１）先の実施形態では、通気用区画体１が、和紙を張った非通気性区画部２と不織布を張った通気性区画部３で構成されて、通気性区画部３が通気部４として機能する例を示したが、この通気性区画部３に関しては、例えば、不織布を張らずに実施することも、不織布に代えて通気性を有する網などを張って実施することもできる。更に、通気性区画部３をなくし、和紙を張った非通気性区画部２のみを設けて、その非通気性区画部２を下方へ位置変更することで上方通気状態に、上方へ位置変更することで下方通気状態に切り替え自在に構成することもできる。
また、通気用区画体１を上下方向に３段状に構成し、中間の段を固定式の非通気性区画部とし、上下方向へ位置変更自在な非通気性区画部２のみ、あるいは、上下方向へ位置変更自在な非通気性区画部２と通気性区画部３を上下方向へ位置変更することにより、上方通気状態と下方通気状態に切り替え自在に構成することもできる。
【００２５】
（２）先の実施形態では、吸気用区画体１４が、和紙を張った非通気性区画部１５と不織布を張った通気性区画部１６で構成されて、通気性区画部１６が吸気部１７として機能する例を示したが、先の通気用区画体１と同様に、通気性区画部１６に関しては、例えば、不織布を張らずに実施することも、不織布に代えて通気性を有する網などを張って実施することもできる。更に、通気性区画部１６をなくし、非通気性区画部１５のみを設けて、上方吸気状態と下方吸気状態に切り替え自在に構成することも、また、吸気用区画体１４を上下方向に３段状に構成し、中間の段を固定式の非通気性区画部とし、上下方向へ位置変更自在な非通気性区画部１５のみ、あるいは、上下方向へ位置変更自在な非通気性区画部１５と通気性区画部１６を上下方向へ位置変更することにより、上方吸気状態と下方吸気状態に切り替え自在に構成することもできる。
【００２６】
（３）先の実施形態では、通気用区画体１の非通気性区画部２と吸気用区画体１４の非通気性区画部１５が、いずれも和紙を張った障子で構成された例を示したが、これら非通気性区画部２、１５のいずれか一方あるいは両方を非通気性の板状体などで構成することもできる。
また、通気用区画体１や吸気用区画体１４の全体を板状体などで構成し、その板状体の上方と下方に開閉自在な開口部を設け、それら開口部を適宜開閉することによって上方通気状態と下方通気状態に切り替えたり、上方吸気状態と下方吸気状態に切り替えるように構成することもできる。
その他、通気用区画体１や吸気用区画体１４を上方にメッシュ状の開口部を有する昇降式のロールスクリーンで構成するなど、種々の改変が可能であり、いずれの場合においても、上方通気状態と下方通気状態との切り替え、および、上方吸気状態と下方吸気状態との切り替えは、人為的な手動操作に限るものではなく、例えば、電動式のアクチュエータを使用して自動操作可能に構成することもできる。
【符号の説明】
【００２７】
１        通気用区画体
２        通気用区画体の非通気性区画部
３        通気用区画体の通気性区画部
４        通気部
６        ペリメータ空間
７        室内空間
８        排気部
１２      吸気空間
１４      吸気用区画体
１５      吸気用区画体の非通気性区画部
１６      吸気用区画体の通気性区画部
１７      吸気部
【図１】
2020148372.tif 000003
【図２】
2020148372.tif 000004
【図３】
2020148372.tif 000005